(57)【要約】      （修正有）【課題】詩吟の普及に携わる者、詩吟を始めようとするものに対し、音域が広く、操作が容易で、かつ安価な詩吟の伴奏用の打楽器を提供する。【解決手段】木琴の音板１を全てばらし、該音板の二か所の孔１ａ、１ｂに、紐１ｄ、１ｅを該孔と底面側とをループに引き通して、基板６０に置いて音を安定にし、マレット５０で叩いた時に出る音の高さを絶対音階で識別できるように該音板に番号１ｃを付し、該音板を低音から高音に向かって半音刻みで３０個並べて音域を広げ、相対音階で、ラシドミファラシドに相当する８個の音板を選択して、コンパクト化を図る。【選択図】図１
0003201958.tif 000002
【実用新案登録請求の範囲】
【請求項１】
１個以上の木琴用音板、マレット及び基板からなり、該音板には二か所の孔に対して、紐が該孔と底面側とをループ状に引き通されており、さらにマレットで叩いた時に出る音の高さを絶対音階で識別できるように符号が付されていることを特徴とする詩吟練習用打楽器。
【請求項２】
２個の前記音板からなり、２個の該音板の音程が半音違いであることを特徴とする請求項１に記載の詩吟練習用打楽器。
【請求項３】
２．５オクターブ以上の範囲で半音違いに音程の異なる前記音板を、低音から高音に向かって並べたオクターブ配列音板と、詩吟朗詠シートとからなり、該シートは、漢詩、和歌、俳句のいずれか一つの詩を読み下し文にして表記した仮名文字が、該配列音板の該音板の間隔と同じ間隔で区切りを入れて明確にされた音程の位置に、朗詠される音程に合わせて文字毎に表記されていることを特徴とする請求項１に記載の詩吟練習用打楽器。
【請求項４】
前記シートと同じ間隔で明確にされた音程の位置に対して、漢詩、和歌、俳句のいずれか一つの詩の朗詠に使用される音階の音程を、該詩の朗詠に使用されない音階の音程とを、文字の種類、文字の有無、符号の有無、符号の種類、記号の有無、記号の種類のいずれか一つあるいは組み合わせて区別した、詩吟音階シートを一体として備えていることを特徴とする請求項１及び請求項３に記載の詩吟練習用打楽器。
【請求項５】
前記配列音板から詩吟朗詠に使用する音程の前記音板を抜き出して低音から高音に向かって並べたコンパクト配列音板と、前期詩吟朗詠シートから詩吟朗詠に使用する音程の部分を音程単位でまとめて表記したコンパクト詩吟朗詠シートを一体として備えていることを特徴とする請求項１に記載の詩吟練習用打楽器。
【考案の詳細な説明】
【技術分野】
【０００１】  この考案は、詩吟の練習に用いる打楽器に関する。
【背景技術】
【０００２】  従来の詩吟の練習は、稽古と称して師匠について口伝で教えられるか、録音テープ、ＣＤ等の媒体を介して学ぶのが主流である。
【先行技術文献】
【特許文献】
【０００３】
【特許文献１】特開平１０−０９７２４１
【特許文献２】特開平０８−２５４９７６
【特許文献３】特開平０８−２０２３５１
【特許文献４】実願２０１３−６５６７
【考案の概要】
【考案が解決しようとする課題】
【０００４】  しかしながら、以上特許文献１〜３の技術によれば、構造が複雑で、楽器に習熟していない者には操作が容易ではない。【０００５】  特許文献４では、高低二種類の音程のみを対象としたものであり、音程を複雑に変える詩吟の朗詠に適用するには無理がある。【０００６】  正しい音程で詩を朗詠するリード音を出す。音叉は高価であるのでこれに代替する音源が必要である。【０００７】  音域を広げる。詩吟朗詠では相対音階で「ミ」と「ファ」が重要であることから、最低半音違いの２個の音板が必要である。詩吟全音域では、２オクターブ半以上の音域が必要である。【０００８】  吟詠者に合わせて音域を変える。ピアノ鍵盤楽器配列では音域の変更は高度の習熟を必要とする。【０００９】  詩を構成する文字を、その文字が朗詠される音程に合わせる必要がある。【００１０】  音域に適合する音板を選ぶ。木琴では、音板は連結構造となっているため、この構造を崩す必要がある。【００１１】  音板の選択・取り出しを確実・容易にする必要がある。【００１２】  コンパクト化し、操作・運搬を容易にする必要がある。【００１３】  以上、これから詩吟の稽古を始めようとする学習者及び高齢者を対象として、容易に演奏ができ、音域の変更が簡単で、詩吟の朗詠に必要な音程のみを選別してコンパクトにでき、電子技術を使用せず、さらに安価に提供する、ことを課題とする。
【課題を解決するための手段】
【００１４】  以上の課題を解決するために、以下の手段をとる。
木琴の音板を独立させ、該音板の底面及び側面に、ゴム、発泡シート、フェルト、紙、コルク、他の緩衝作用を有する材料シートのいずれか一つあるいは二つを付けて単独音板とする。【００１５】  木琴音板が有する２個の貫通孔それぞれと、底面側とをループに紐を引き通して単独音板とする。【００１６】  該音板には、マレットで叩いた時に出る音の高さを絶対音階で識別できるように符号を付す。符号は連続した数値でもよい。【００１７】  音域を決め、「ミ」と「ファ」に相当する最少２個の連続した音程の音板を選択して取り出し、基板上に順次並べて２個配列音板にする。【００１８】  さらに、２オクターブ半以上の音域をカバーするように、半音違いに音程の異なる前記独立音板を基板上に並べてオクターブ配列音板にする。【００１９】  前記オクターブ配列音板と同じ間隔で区切りを入れて音程の位置を明確にしたシートで、漢詩、和歌、俳句のいずれか一つの詩を読み下し文にして表記した仮名文字を、該仮名文字を朗詠する音程で、前記区切りを入れた該シートの該当する音程の位置に、文字毎に表記した詩吟朗詠シートを一体として備える。【００２０】  前記独立音板と同じ間隔で区切りを入れて音程の位置を明確にしたシートで、漢詩、和歌、俳句のいずれか一つの詩の朗詠に使用される音階の音程の位置を、該詩の朗詠に使用されない音階の音程の位置を符号の有無あるいは符号の違いで区別した詩吟音階シートを一体として備える。【００２１】  前記詩吟音階シートを、前記オクターブ配列音板の上に置き、該詩の朗詠に使用される音階の音程の位置の音板を取り出して基板上に並べたコンパクト配列音板と、該コンパクト配列音板と同じ間隔で区切りを入れて音程の位置を明確にしたシートで、漢詩、和歌、俳句のいずれか一つの詩を読み下し文にして表記した仮名文字を、該仮名文字を朗詠する音程で、該区切りを入れた該シートの該当する音程の位置に、文字毎に表記したコンパクト詩吟朗詠シートを一体として備える。【００２２】  電子技術を使用しないで、音板を基板上に置き、マレットで叩く。
【考案の効果】
【００２３】  高価な音叉に代わり、リード音を発生させることができる。【００２４】詩吟朗詠で重要な音程「ミ」と「ファ」を、２個の連続した音程の音板二個でカバーできる。【００２５】  老若男女を問わず、詩吟の練習に使用できる。【００２６】  詩吟朗詠の音程を正しくとらえることができる。【００２７】  容易に音域を変えた音程で朗詠できる。【００２８】  吟詠者が吟詠する音域で使用する音程の音板を素早く、間違えずに取り出すことができる。【００２９】  余分な音程がないので、容易に練習に利用できる。コンパクトなので、取扱いや運搬が容易である。【００３０】  電子技術を利用しないので、故障することがなく、安価である。【００３１】  手で叩く操作は、誰にでも容易にでき、特に高齢者の機能維持に大きく寄与し、これからの高齢化時代に大きく貢献できる。
【図面の簡単な説明】
【００３２】
【図１】第一の実施例の一実施形態を示す立面図である。
【図２】第一の実施例の構成要素の音板を底面側から見た立面図である。
【図３】第一の実施例の構成要素の音板の図である。
【図４】第三の実施例のオクターブ配列音板を示す図である。
【図５】詩吟音階シートを示す図である。
【図６】詩吟朗詠シートを示す図である。
【図７】単独音板について、相互の接触及び基板との接触を説明する図である
【図８】第二の実施例の配列音板から前記詩吟音階シートを用いて第三の実施例のコンパクト配列音板を取り出す手順を示す図である。
【図９】第二の実施例の実施形態を示す図である。
【図１０】第三の実施例の実施形態を示す図である。
【図１１】２個配列の実施形態を示す図である。
【考案を実施するための形態】
【００３３】  第一の実施例の一実施形態を、図１に示す。
【００３４】  木琴の音板１が単独で存在し、これをたたくマレット５０と基板６０がセットになっている。前記音板１には、その音を絶対音階で示す番号１ｃが縦側面に記されている。また、音板の二か所ある孔１ａ、１ｂには、前記音板１の底面側を通って紐１ｄ、１ｅがループ状に通されている。
【００３５】  この前記音板１には、マレット５０で叩いたときに発する音の音程を絶対音階で識別できる番号１ｃが付されているので、音程を選ぶ際の識別の手段として効果がある。さらに、前記音板１には、貫通孔１ａ、１ｂに底面側を通るように紐１ｄ、１ｅがループ状に取り付けられており、図７（ｂ）、図７（ｃ）に示すように底面は基板と、図７（ａ）、図７（ｂ）に示すように、側面は隣り合う音板と、直接に接触していないので、音板自体の音程を維持する効果を発揮している。
【００３６】    図１に示すように、音板をばらしたことにより、何処にでも持ち運びできて、学習者のリード音に合わせた音板を選択すれば、詩吟の歌いだしを容易にすることができる効果が得られる。
【００３７】  木琴音板が有する２個の貫通孔それぞれと、底面側とをループ状に紐を引き通して単独音板とする。
【００３８】  また、音板に紐を取り付けたことで、図７に示すように、音板１と基板９０及び隣り合う音板間でそれぞれが直接に接触することがなく、音板自体の音程が維持され、音色を良く保つ効果が得られる。
【００３９】  木琴の音板に対して、該音板の底面及び側面に、ゴム、フェルト、紙、コルク、発泡ウレタン、発泡スチレンの内のいずれか一つあるいは二つの材料からなるシートを付けて独立音板とすることも可能である。
【００４０】  第二の実施例の一実施形態を、図１１に示す。前記音板１の縦側面に記されている番号１ｃが続きならどの番号の組み合わせでもよい。
【００４１】  第三の実施例の一実施形態を、図４及び図９に示す。音域が半音刻みで２．５オクターブ以上あるので、詩吟の音域が半音刻みで音板１６個分の範囲にあることを考慮すると、詩吟学習には十分である。
【００４２】  絶対音階を示す符号に数値番号を選択しておけば、前記音板１を並べるときにも効果を発揮する。
【００４３】  図９に示すように、図６（ａ）あるいは（ｄ）に示す詩吟朗詠シート３００あるいは４００を、オクターブ配列音板の上に置き、詩文の記載されている音程の場所をマレットで叩くことにより、音程を確認しながら朗詠の稽古をすることができる。
【００４４】  音板の列の該当する音板の位置に合わせて漢詩、和歌、俳句の一部分を読み下し文で表記した仮名文字をそれぞれ朗詠する音程の位置に表示した詩吟朗詠シートを用いることにより、詩吟の稽古が自由にできる効果が得られる。
【００４５】  この場合、詩吟朗詠シートを置く位置を変えることにより、音域を自由に変えて詩吟朗詠の稽古ができる。
【００４６】  第四の実施例の一実施形態を、図８（ｃ）及び図１０に示す。図８に示すように、図４に示す第三の実施例のオクターブ配列音板から図５の（ａ）〜（ｄ）に示す詩吟音階シート１００、２００、１５０、２５０のいずれか１個を用いて詩吟に必要な音程の音板のみを取り出して並べている。
【００４７】  詩吟音階シートを置く位置をかえることにより、音域を朗詠する者が自分用に合った音域の音板を容易に取りだすことができる。
【００４８】  吟者自身の音域に合わせて取り出せるので、本人専用の詩吟練習用打楽器を容易に作れる効果を発揮している。
【００４９】  図１０に示すように、図８（ｃ）に示すものに図６（ｂ）あるいは（ｃ）に示すコンパクト詩吟朗詠シートをコンパクト配列音板の上に置き、詩文の記載されている音程の場所をマレットで叩くことにより、音程を確認しながら朗詠の稽古をすることができる。
【００５０】  音板の列の該当する音板の位置に合わせて漢詩、和歌、俳句の一部分を読み下し文で表記した仮名文字をそれぞれ朗詠する音程の位置に表示したコンパクト詩吟朗詠シートを用いることにより、詩吟の稽古が自由にできる効果が得られる。
【００５１】  詩吟に使う音程のみで、余分な音程がないので、練習が容易にできる。コンパクトで、操作や運搬が容易である。コンパクトで何処ででも詩吟を練習することができる効果が得られる。
【００５２】  音板８個でコンパクトになっている。
【００５３】  図１１に示すように、相対音階で「ミ」と「ファ」に相当する音板を選び、重要な部分を集中して訓練できる効果が得られる。
【００５４】  音板をマレットで叩く動作は手を頻繁に使うため、高齢者の機能維持に役立つ効果が得られる。
【００５５】  音板はマレットで叩くだけの操作で音を出せるので、電子技術を使わない効果が得られる。
【実施例】
【００５６】  第一の実施例は、図１〜図３に示すように、木琴の音板１を全音・半音ともに全てばらし、この音板１の二個の貫通孔１ａ、１ｂそれぞれに対して紐１ｄ、１ｅが底面側でループになるよう引き通された状態にし、絶対音を識別できる番号１ｃを付して基板６０の上に置き、マレット５０で叩いて音を出すようにしたもので、出だしのリード音を選択することにより、音程を間違えずに詩吟を朗詠することができるようにしたものである。【００５７】  第二の実施例は、図１１に示すように、連続した番号の２個の音板１２、１３を基板１９０の上に置いた２個配列音板である。詩吟朗詠では、相対音階で、出だしが「ファファファファミファミ」で終わりが「ミミミファミ」で、途中もここに戻ることが多い。【００５８】  「ミ」と「ファ」は半音違いで、２個の連続した音程の音板二つで重要な音程をカバーでき、初期の稽古では、音階のスケールを身に着ける効果は大きく、詩吟習得期間の節約にもなる。【００５９】  第三の実施例は、図４に示すように、第一の実施例の単独音板で、音程の異なるものを半音刻みで低音から高音まで２．５オクターブの範囲で横一列に基板８０の上に並べてオクターブ配列音板とし、【００６０】  図５に示すように、並べた音板と同じ間隔で音板の音程を絶対音階でそれぞれ該当する位置に表記し、その中からラシドミファラシド（漢詩・和歌用）、あるいは、ドレミソラドレミ（俳句用）に相当する８個の音程の表記のみを残して他を消去した詩吟音階シートを一体としてセット化し、【００６１】  図６の（ａ）あるいは（ｄ）に示すように、図５の（ａ）あるいは（ｂ）に示す前記詩吟音階シートの音程が記載された音程の位置に、漢詩、和歌、俳句のいずれか一つの詩をそれぞれ読み下し文にして表記した仮名文字をそれぞれ朗詠する音程の位置に文字毎に表示した詩吟朗詠用シートを一体としてセット化し、【００６２】  図９に示すように、図４に示すオクターブ配列音板に、図６の（ａ）あるいは（ｄ）に示す詩吟朗詠シート３００、４００を置いて詩吟を朗詠するようにしたものである。【００６３】  第四の実施例は、図８に示すように、オクターブ配列音板から、図５に示す詩吟音階シート１００、１５０、２００、２５０を用いて詩吟に必要な音板を抜き出し横一列に並べ基板上に並べて図８（ｃ）に示すコンパクト配列音板とし、【００６４】  コンパクト配列音板の音程の位置に、漢詩、和歌、俳句のいずれか一つの詩を読み下し文にして表記した仮名文字をそれぞれ朗詠する音程の位置に文字毎に表示した図６（ｂ）に示すコンパクト詩吟朗詠シートを一体としてセット化し、【００６５】  図１０に示すように、図８（ｃ）に示すコンパクト配列音板に、図６の（ｂ）あるいは（ｃ）に示すコンパクト詩吟朗詠シート４５０を用いて詩吟を朗詠するようにしたものである。
【産業上の利用可能性】
【００６６】  相対音階で、レとラが抜けたドミファソシドミファに相当する８個の音板を選択し、低音から高音に向かって並べる沖縄音階は本考案の範疇にあって利用性が高い。【００６７】  普通の音楽にも適用でき、カラオケ同様音程を変えて歌える。
【符号の説明】
【００６８】１〜３０  音板（Ｇ音を番号１とし、半音上がる毎に１ずつ数値が増える）、１ａ、１０ａ、１２ａ、１３ａ  貫通孔、
１ｂ、１０ｂ、１２ｂ、１３ｂ  貫通孔、
１ｃ、１０ｃ、１２ｃ、１３ｃ  絶対音階で表す音程の表示（Ｇ音を番号１とし、半音上がる毎に１ずつ数値が増える）、
１ｄ、１０ｄ、１２ｄ、１３ｄ  紐，
１ｅ、１０ｅ、１２ｅ、１３ｅ  紐、【００６９】５０  マレット、
５０ａ  マレットの頭、５０ｂ  マレットの軸、【００７０】６０、７０、７５、８０、９０，１９０  基板、【００７１】７０ａ、７５ａ、８０ａ  取扱い用紐、
７０ｂ、７５ｂ、８０ｂ  取扱い用紐、【００７２】１００  詩吟音階シート（漢詩・和歌用）、
１００ａ１  ラ、１００ａ２  シ、１００ａ３  ド、１００ａ４、ミ  １００ａ５、ファ  １００ａ６  ラ、１００ａ７  シ、１００ａ８  ド、
１００ｂ１、１００ｂ２、１００ｂ３、１００ｂ４、１００ｂ５、１００ｂ６、１００ｂ７、１００ｂ８  ブランク、【００７３】１５０  詩吟音階シート（漢詩・和歌用）、
１５０ａ１、１５０ａ２、１５０ａ３、１５０ａ４、１５０ａ５、１５０ａ６、１５０ａ７、１５０ａ８  ●、
１５０ｂ１、１５０ｂ２、１５０ｂ３、１５０ｂ４、１５０ｂ５、１５０ｂ６、１５０ｂ７、１５０ｂ８  ブランク、【００７４】２００  詩吟音階シート（俳句用）、
２００ａ１  ド、２００ａ２  レ、２００ａ３  ミ、２００ａ４、ソ  ２００ａ５、ラ  ２００ａ６  ド、２００ａ７  レ、２００ａ８  ミ、
２００ｂ１、２００ｂ２、２００ｂ３、２００ｂ４、２００ｂ５、２００ｂ６、２００ｂ７、２００ｂ８  ブランク、【００７５】２５０  詩吟音階シート（俳句用）
２５０ａ１、２５０ａ２、２５０ａ３、２５０ａ４、２５０ａ５、２５０ａ６、２５０ａ７、２５０ａ８  ●、
２５０ｂ１、２５０ｂ２、２５０ｂ３、２５０ｂ４、２５０ｂ５、２５０ｂ６、２５０ｂ７、２５０ｂ８  ブランク、【００７６】３００  詩吟朗詠シート（漢詩・和歌用）、
３００ａ１  ラ音域、３００ａ２  シ音域、３００ａ３  ド音域、３００ａ４  ミ音域、３００ａ５  ファ音域、３００ａ６  ラ音域、３００ａ７  シ音域、３００ａ８  ド音域、
３００ｂ１、３００ｂ２、３００ｂ３、３００ｂ４、３００ｂ５、３００ｂ６、３００ｂ７、３００ｂ８  ブランク、
３００ｆ１、３００ｆ２、３００ｆ３  漢詩読み下し文の文字列、
３００ｇ１、３００ｇ２、３００ｇ３  文字列から次の文字列へ導く歌う順序を示す矢印【００７７】３５０  コンパクト詩吟朗詠シート（漢詩・和歌用）、
３５０ａ１  ラ音域、３５０ａ２  シ音域、３５０ａ３  ド音域、３５０ａ４  ミ音域、３５０ａ５  ファ音域、３５０ａ６  ラ音域、３５０ａ７  シ音域、３５０ａ８  ド音域、
３５０ｂ１、３５０ｂ２、３５０ｂ３、３５０ｂ４、３５０ｂ５、３５０ｂ６、３５０ｂ７、３５０ｂ８  ブランク、
３５０ｆ１、３５０ｆ２、３５０ｆ３  漢詩読み下し文の文字列、
３５０ｇ１、３５０ｇ２、３５０ｇ３  文字列から次の文字列へ導く歌う順序を示す矢印【００７８】４００  詩吟朗詠シート（俳句用）、
４００ａ１  ラ音域、４００ａ２  シ音域、４００ａ３  ド音域、４００ａ４  ミ音域、４００ａ５  ファ音域、４００ａ６  ラ音域、４００ａ７  シ音域、４００ａ８  ド音域、
４００ｂ１、４００ｂ２、４００ｂ３、４００ｂ４、４００ｂ５、４００ｂ６、４００ｂ７、４００ｂ８  ブランク、
４００ｆ１、４００ｆ２、４００ｆ３  漢詩読み下し文の文字列、
４００ｇ１、４００ｇ２、４００ｇ３  文字列から次の文字列へ導く歌う順序を示す矢印【００７９】４５０  コンパクト詩吟朗詠シート（俳句用）、
４５０ａ１  ド音域、４５０ａ２  レ音域、４５０ａ３  ミ音域、４５０ａ４  ソ音域、４５０ａ５  ラ音域、４５０ａ６  ド音域、４５０ａ７  レ音域、４５０ａ８  ミ音域、
４５０ｂ１、４５０ｂ２、４５０ｂ３、４５０ｂ４、４５０ｂ５、４５０ｂ６、４５０ｂ７、４５０ｂ８  ブランク、
４５０ｆ１、４５０ｆ２、４５０ｆ３、４５０ｆ４  漢詩読み下し文の文字列、４５０ｇ１、４５０ｇ２、４５０ｇ３  文字列から次の文字列へ導く歌う順序を示す矢印
【図１】
0003201958.tif 000003
【図２】
0003201958.tif 000004
【図３】
0003201958.tif 000005
【図４】
0003201958.tif 000006
【図５】
0003201958.tif 000007
【図６】
0003201958.tif 000008
【図７】
0003201958.tif 000009
【図８】
0003201958.tif 000010
【図９】
0003201958.tif 000011
【図１０】
0003201958.tif 000012
【図１１】
0003201958.tif 000013